(57)【要約】【課題】  病院内に設置された読影依頼端末から病院外の医師の移動体通信端末に送信された医用画像情報を伴う患者情報を前記移動体通信端末の表示画面で読みやすくして、医師が確認しやすくすることができる診断支援システムを提供する。【解決手段】  画像情報及びその画像情報に関連付けられた文字情報からなる患者情報を送信する読影依頼端末１にネットワークを介して接続された移動体通信端末２に、前記患者情報を表示し、互いの表示面が略面一に配置可能とされた複数の表示手段２２ａ，２２ｂと、それらの表示手段２２ａ，２２ｂの表示面が略面一に配置されたときに、記憶手段２３に記憶された患者情報を前記面一に配置された表示面に表示させる表示制御手段２０３と、前記患者情報の受信及び入力手段によって入力された読影結果情報の送信を行う通信手段２１とを設けた。【選択図】      図１
2005261807.tif 000002
【特許請求の範囲】
【請求項１】
医用画像診断装置によって得られた少なくとも画像情報を含む患者情報を送信する読影依頼端末と、
その読影依頼端末からの患者情報をネットワークを介して受信して読影を行うための移動体通信端末とを備えてなる診療支援システムであって、
前記移動体通信端末は、
受信した前記患者情報を記憶する記憶手段と、
入力手段と、
前記患者情報を表示し、互いの表示面が略面一に配置可能とされた複数の表示手段と、
それらの表示手段の表示面が略面一に配置されたときに、前記記憶手段に記憶された患者情報を前記面一に配置された表示面に表示させる表示制御手段と、
前記患者情報の受信及び前記入力手段によって入力された読影結果情報の送信を行う通信手段と
を有することを特徴とする診断支援システム。
【請求項２】
前記患者情報が画像情報と文字情報とからなり、前記表示制御手段は、前記患者情報を前記複数の表示手段に振り分けて表示させることを特徴とする請求項１に記載の診断支援システム。
【請求項３】
前記患者情報が画像情報と文字情報とからなり、前記表示制御手段は、前記患者情報を所定の拡大率で前記複数の表示手段に拡大表示させることを特徴とする請求項１に記載の診断支援システム。
【請求項４】
前記表示制御手段は、前記表示手段の表示面が略面一に配置されたことに基づいて所定の拡大率で拡大表示の制御を行うことを特徴とする請求項３に記載の診断支援システム。
【発明の詳細な説明】
【技術分野】
【０００１】
本発明は、診断支援システムに関し、特に、画像読影のために、病院等に設置された読影依頼端末と、主に病院外で用いられる移動体通信端末との間で画像情報を伴う患者情報の授受を行うことによって、外から診断支援を行える診断支援システムに関する。
【背景技術】
【０００２】
従来より、Ｘ線ＣＴ装置やＭＲＩ装置等の医用画像診断装置に接続された読影依頼端末と、読影医の端末と、運用管理サーバとがネットワークで接続されてなる遠隔画像診断支援ネットワークシステムが数多く提案されている。
【０００３】
この画像診断支援ネットワークシステムは、地域診療所や病院内の医用画像診断装置で取得した医用画像を遠隔の読影医に読影依頼する場合に、前記医用画像を読影依頼端末に取り込み、この医用画像を運用管理サーバにアップロードする。運用管理サーバにアップロードされた医用画像は、読影医の端末にダウンロードされ、読影医によって読影される。また、読影結果は、運用管理サーバを介して読影依頼端末に通知できるようになっている。
【０００４】
このような画像診断支援ネットワークシステムとしては、読影依頼の操作の簡略化及び読影依頼ミスの削減防止及び運用センターでの患者情報入力の作業を不要にすることを目的とした読影依頼端末が提案されている（例えば、特許文献１）。
【０００５】
【特許文献１】特開２００４−２４７７２号公報（段落〔００１９〕−〔００６３〕、第１図）
【発明の開示】
【発明が解決しようとする課題】
【０００６】
しかしながら、特許文献１に記載の技術では、緊急を要する読影依頼について対策を講じてはいるものの、読影医の端末は、読影医が所属する病院や読影医の自宅に設置された端末が想定されている。従って、読影医が当該端末に送信された医用画像を確認する状態にならなければ、つまり、当該端末を読影医が操作していなければ、前記医用画像が緊急を要する医用画像であっても、当該読影医がその医用画像を確認することはできず、読影について迅速な判断を読影依頼端末に通知することができなかった。
【０００７】
一方、前記読影医の端末として移動体通信端末（携帯電話等）を採用して読影依頼をすることもできるが、従来の移動体通信端末は、その携帯性の故に画面が小さく、例えば、画像情報と文字情報とを表示させると読影がしづらかった。
【０００８】
本発明は、以上の問題点に鑑みてなされたものであって、その目的は、病院内に設置された読影依頼端末から病院外の医師の移動体通信端末に送信された医用画像情報を伴う患者情報を前記移動体通信端末の表示画面で読みやすくして、医師が確認しやすくすることができる診断支援システムを提供することにある。
【課題を解決するための手段】
【０００９】
上記課題を解決するための、請求項１記載の発明に係る診断支援システムは、医用画像診断装置によって得られた少なくとも画像情報を含む患者情報を送信する読影依頼端末と、その読影依頼端末からの患者情報をネットワークを介して受信して読影を行うための移動体通信端末とを備えてなる診療支援システムであって、前記移動体通信端末は、受信した前記患者情報を記憶する記憶手段と、入力手段と、前記患者情報を表示し、互いの表示面が略面一に配置可能とされた複数の表示手段と、それらの表示手段の表示面が略面一に配置されたときに、前記記憶手段に記憶された患者情報を前記面一に配置された表示面に表示させる表示制御手段と、前記患者情報の受信及び前記入力手段によって入力された読影結果情報の送信を行う通信手段とを有することを特徴とする。
【００１０】
このような構成とすることにより、患者情報を受信する使用者（読影者）側の端末を移動体通信端末としたことで、読影依頼対象の患者情報の読影を使用者（読影者）に迅速に確認してもらうことができる。また、複数の表示手段の表示面が略面一に配置されたときに、前記記憶手段に記憶された患者情報を前記面一に配置された表示面に表示させる構成としたので、１つの表示手段が設けられた移動体通信端末の表示領域よりも前記面一に配置された表示面によって形成される表示領域が広くなるので、その表示領域に表示された患者情報を使用者（読影者）が明確に読影することができ、適切な判断を含む読影結果情報を前記読影依頼端末に通知する診断支援システムを提供することができる。
【００１１】
上記課題を解決するための、請求項２記載の発明に係る診断支援システムは、請求項１に記載の診療支援システムにおいて、前記患者情報が画像情報と文字情報とからなり、前記表示制御手段は、前記患者情報を前記複数の表示手段に振り分けて表示させることを特徴とする。
【００１２】
このように、前記患者情報を前記複数の表示手段に振り分けて表示させることにより、前記複数の表示画面に表示する画像情報及び文字情報を表示する際に要するプロセスを軽減することができる。なお、本発明において、前記「画像情報や文字情報を複数の表示手段に振り分けて表示」とは、複数の表示手段毎に画像情報と文字情報とを表示したり、画像情報又は文字情報自体を複数の表示手段に跨って表示させることをいう。
【００１３】
上記課題を解決するための、請求項３記載の発明に係る診断支援システムは、請求項１に記載の診療支援システムにおいて、前記患者情報が画像情報と文字情報とからなり、前記表示制御手段は、前記患者情報を所定の拡大率で前記複数の表示手段に拡大表示させることを特徴とする。
【００１４】
上記課題を解決するための、請求項４記載の発明に係る診断支援システムは、請求項３に記載の診療支援システムにおいて、前記表示制御手段は、前記表示手段の表示面が略面一に配置されたことに基づいて所定の拡大率で拡大表示の制御を行うことを特徴とする。
【発明の効果】
【００１５】
本発明によれば、移動体通信端末の複数の表示手段によって広くなった表示領域に患者情報を表示するようにしたので、患者情報が見やすくなり、適切な判断を前記読影依頼端末に通知する診断支援システムを提供することができる。
【発明を実施するための最良の形態】
【００１６】
以下、本発明に係る診断支援システムの一実施形態につき、図面を参照して説明する。
【００１７】
図１は、本発明に係る診断支援システムの一実施形態において用いられる移動体通信端末の構成を示す正面図（図１（ａ））及び背面図（図１（ｂ）〜図１（ｃ））であり、図２は、本発明に係る診断支援システムの一実施形態における構成を示すブロック図である。
【００１８】
図１（ａ）に示すように、本発明の移動体通信端末２は、外観上、２つの表示手段２２ａ，２２ｂと、入力手段２４としての複数のキーと、通信手段２１としてのアンテナとを有している。２つの表示手段２２ａ，２２ｂのうち、表示手段２２ｂは、ヒンジ機構によって移動体通信端末２の本体と連結される態様をなしている。
【００１９】
また、図１（ｂ）に示すように、本発明の移動体通信端末２の背面には、表示手段２２ｂを収納可能な凹部２５が形成され、前記ヒンジ機構によって第２の表示手段２２ｂを回動させて第２の表示手段２２ｂが凹部２５から脱したことを検知する開閉検知手段２５ａが凹部２５内に設けられている。
【００２０】
すなわち、本発明の移動体通信端末２は、前記ヒンジ機構によって、第１の表示手段２２ａの表示面と第２の表示手段２２ｂの表示面とが略面一に並べられた状態（図１（ａ）参照）と、第２の表示手段２２ｂが凹部２５に収納された状態（図１（ｃ）参照）とに変えられるようになっている。
【００２１】
なお、本発明では、前記ヒンジ機構によって表示手段２２ｂを回動させて、第２の表示手段２２ｂが凹部２５に収納された状態から凹部２５を脱する動作を「第２の表示手段２２ｂを開く」と定義して説明する。
【００２２】
また、図２に示すように、本発明に係る診断支援システムは、病院内ネットワーク等で病院内のＸ線ＣＴ装置やＭＲＩ装置等の医用画像診断装置に接続された読影依頼端末１と、係る読影依頼端末１から送信された患者情報を読影し、所見（読影結果情報）を読影依頼端末１に通知するために使用者（医師等）が病院外で使用する移動体通信端末２とがネットワーク接続されてなる。
【００２３】
読影依頼端末１は、例えば、院内ＬＡＮ等によって接続された医用画像診断装置（図示せず）から得られた画像情報及びその画像情報に関連する文字情報よりなる患者情報を一時的に記憶する記憶手段１３と、当該患者情報を表示する表示手段１２と、読影依頼端末１を使用する読影依頼者が必要な情報を入力する入力手段１４と、前記患者情報を送信するための通信手段１１と、通信手段１１、表示手段１２、記憶手段１３及び入力手段１４を制御する制御手段１０とが設けられている。
【００２４】
一方、移動体通信端末２は、ネットワークを介して読影依頼端末１から送信された情報を受信したり、読影依頼端末１に情報を送信するための通信手段２１が設けられている。そして、この通信手段２１は、通信制御手段２０４の指示によって前記情報の送受信が制御される。
【００２５】
また、移動体通信端末２には、読影依頼端末１から送信された患者情報及び読影依頼端末１に送信する読影結果情報を一時的に保存したり、移動体通信端末２を総括的に制御するためのプログラムが格納された記憶手段２３が設けられている。
【００２６】
また、移動体通信端末２には、前記使用者が所見（読影結果情報）等を入力したり、前記プログラムに従って、表示手段２２に表示されるメッセージに応答する入力情報を入力するための入力手段２４が設けられている。
【００２７】
また、移動体通信端末２には、通信手段２１によって通信制御手段２０４が受信した情報が患者情報であるか否かを識別すると共に、当該情報が患者情報であると識別された場合には、画像情報と文字情報とに関連付けた状態で記憶手段２３に記憶する識別手段２０２が設けられている。
【００２８】
さらに、移動体通信端末２には、識別手段２０２が患者情報を記憶手段２３に記憶したことを契機に記憶手段２３から当該患者情報を読み込み、前記プログラムに従って入力手段２４から入力された情報や、開閉検知手段２５からの検知信号を基に第１の表示手段２２ａを制御する第１の表示制御手段２０３ａ及び第２の表示手段２２ｂを制御する第２の表示制御手段２０３ｂに指示信号を送信する制御手段２０１が設けられている。
【００２９】
そして、制御手段２０１、識別手段２０２、第１の表示制御手段２０３ａ、第２の表示制御手段２０３ｂ及び通信制御手段２０４が移動体通信端末２の各種機能を制御するＣＰＵ２０を構成する。
【００３０】
次に、本発明に係る診断支援システムの一実施形態における動作について図面を参照して以下に説明する。
【００３１】
図３〜図６は、本発明に係る診断支援システムの一実施形態における動作を示すフローチャートである。図３に示すように、まず、読影依頼端末１からネットワークによって送信された患者情報を通信手段２１が受信したことを通信制御手段２０４が検知する（Ｓ１）。
【００３２】
患者情報を受信したことを検知した通信制御手段２０４は、当該患者情報を識別手段２０２に送信する。その患者情報に対して、識別手段２０２は、当該患者情報を画像情報と文字情報とに分別して記憶手段２３に個別（患者別）に記憶し、患者情報が送信されたことを制御手段２０１に通知する（Ｓ２）。なお、識別手段２０２が患者情報を分別する方法は、送信された患者情報のヘッダを確認して、例えば、拡張子等の識別子が「．ｔｘｔ」である情報に対しては文字情報と認識し、前記識別子が「．ｂｍｐ」である情報に対しては、画像情報として患者毎に記憶手段２３に記憶する。
【００３３】
ここで、記憶手段２３は、移動体通信端末２に送信された情報が患者情報であるか否かによって、前記情報を記憶する領域が異なるように記憶するものとする。但し、移動体通信端末２を、患者情報のみ受信する端末として使用するときは、送信された情報が患者情報と識別された場合にのみ記憶手段２３に記憶する。
【００３４】
次に、制御手段２０１は、記憶手段２３に患者情報が記憶されたことを受けて、患者情報を読影するか否かを示すメッセージを第１の表示手段２２ａに表示するように第１の表示制御手段２０３ａに指示する（Ｓ３）。
【００３５】
使用者が入力手段２４を操作して、患者情報を読影すると選択した場合（Ｓ３−Ｙｅｓ）には、その患者情報を表示手段２２ａ，２２ｂにどのように表示するかを選択する「表示領域の選択過程」に移行する。また、使用者が入力手段２４を操作して、患者情報を読影しないと選択した場合（Ｓ３−Ｎｏ）には、患者情報を読影しない旨のメッセージを読影依頼端末１に送信するように制御手段２０１が通信制御手段２０４に指示する。さらに、使用者が入力手段２４を操作して、患者情報の読影を保留すると選択した場合（Ｓ３−保留）には、再び入力手段２４によって使用者から患者情報の表示要求があるまで当該患者情報の表示を待機する（Ｓ５）。
【００３６】
（表示領域の選択過程）
使用者が入力手段２４を操作して、患者情報を読影すると選択した場合（Ｓ３−Ｙｅｓ）、又は、患者情報の読影を保留すると選択し（Ｓ３−保留）、再び入力手段２４によって使用者から患者情報の表示要求があった場合には、制御手段２０１は、患者情報を構成する画像情報及び文字情報を両方表示するかを示すメッセージを第１の表示手段２２ａに表示するように第１の表示制御手段２０３ａに指示する（Ｓ６）。
【００３７】
使用者が入力手段２４を操作して、画像情報及び文字情報の両方を表示することを選択した場合（Ｓ６−Ｙｅｓ）、制御手段２０１は、画像情報を第１の表示手段２２ａに表示するか否かを示すメッセージを第１の表示手段２２ａに表示するように第１の表示制御手段２０３ａに指示する（Ｓ７）。
【００３８】
一方、使用者が入力手段２４を操作して、画像情報及び文字情報の両方の表示を要求しないことを選択した場合（Ｓ６−Ｎｏ）、制御手段２０１は、画像情報のみを表示するか否かを示すメッセージを第１の表示手段２２ａに表示するように第１の表示制御手段２０３ａに指示する（Ｓ８）。
【００３９】
なお、前記Ｓ６〜Ｓ８の間において、使用者により、移動体通信端末２の背面の凹部２５に収納された第２の表示手段２２ｂが移動体通信端末２の裏面に対して開かれたことを開閉検知手段２５ａが検知した場合には、その検知信号が開閉検知手段２５ａから制御手段２０１に送られる。制御手段２０１は、開閉検知手段２５ａから前記検知信号が送信されたことを契機として、記憶手段２３に記憶された患者情報を読み出して、予め設定された倍率（例えば２倍）に拡大した画像情報を第１の表示手段２２ａ及び第２の表示手段２２ｂに表示するように第１の表示制御手段２０３ａ及び第２の表示制御手段２０３ｂに指示する。
【００４０】
（画像情報及び文字情報を表示する過程１）
そして、使用者が入力手段２４を操作して、画像情報を第１の表示手段２３ａに表示することを選択した場合（Ｓ７−Ｙｅｓ）、図４に示すように、制御手段２０１は、当該画像情報を拡大するか否かを示すメッセージを第１の表示手段２２ａに表示するように第１の表示制御手段２０３ａに指示する（Ｓ９）。
【００４１】
使用者が入力手段２４を操作して、画像情報の拡大を要求した場合（Ｓ９−Ｙｅｓ）、制御手段２０１は、当該画像情報の拡大率を入力させる入力画面を第１の表示手段２２ａに表示するように第１の表示制御手段２０３ａに指示する（Ｓ１０）。
【００４２】
前記入力画面において画像情報の拡大率が入力された後、制御手段２０１は、画像情報と同様に、文字情報も拡大するか否かを示すメッセージを第１の表示手段２２ａに表示するように第１の表示制御手段２０３ａに指示する（Ｓ１１）。
【００４３】
使用者が入力手段２４を操作して、文字情報の拡大も要求した場合（Ｓ１１−Ｙｅｓ）、制御手段２０１は、当該文字情報の拡大率を入力させる入力画面を第１の表示手段２２ａに表示するように第１の表示制御手段２０３ａに指示する（Ｓ１２）。
【００４４】
このようにして、患者情報を構成する画像情報及び文字情報をそれぞれ所定の拡大率で第１の表示手段２２ａ及び第２の表示手段２２ｂに表示するように使用者に要求されたことにより、制御手段２０１は、移動体通信端末２の背面の凹部２５に収納された第２の表示手段２２ｂの画面と第１の表示手段２２ａの画面とが略面一になるように第２の表示手段２２ｂを開くように使用者に促すメッセージを、第１の表示手段２２ａに表示するように第１の表示制御手段２０３ａに指示する。
【００４５】
そして、第２の表示手段２２ｂが移動体通信端末２の裏面に対して開かれたことを開閉検知手段２５ａが検知し、その検知信号が開閉検知手段２５ａから制御手段２０１に送られる。制御手段２０１は、開閉検知手段２５ａから前記検知信号が送信されたことを契機として、記憶手段２３に記憶された画像情報及び文字情報から構成される患者情報を読み出して、前記所定の拡大率に拡大した画像情報を第１の表示手段２２ａに表示するように第１の表示制御手段２０３ａに指示すると共に、前記所定の拡大率に拡大した文字情報を第２の表示手段２２ｂに表示するように第２の表示制御手段２０３ｂに指示する（Ｓ１３）。
【００４６】
一方、Ｓ９において、画像情報を拡大しなくてよいと使用者から要求された場合（Ｓ９−Ｎｏ）、制御手段２０１は、文字情報を拡大するか否かを示すメッセージを第１の表示手段２２ａに表示するように第１の表示制御手段２０３ａに指示する（Ｓ１４）。
【００４７】
使用者が入力手段２４を操作して、文字情報の拡大を要求した場合（Ｓ１４−Ｙｅｓ）、制御手段２０１は、当該文字情報の拡大率を入力させる入力画面を第１の表示手段２２ａに表示するように第１の表示制御手段２０３ａに指示する（Ｓ１５）。
【００４８】
このようにして、患者情報を構成する画像情報及び文字情報をそれぞれ所定の拡大率（当倍も含む）で第１の表示手段２２ａ及び表示手段２２ｂに表示するように使用者に要求されたことにより、制御手段２０１は、移動体通信端末２の背面の凹部２５に収納された第２の表示手段２２ｂの画面と第１の表示手段２２ａの画面とが略面一になるように第２の表示手段２２ｂを開くように使用者に促すメッセージを、第１の表示手段２２ａに表示するように第１の表示制御手段２０３ａに指示する。
【００４９】
そして、第２の表示手段２２ｂが移動体通信端末２の裏面に対して開かれたことを開閉検知手段２５ａが検知し、その検知信号が開閉検知手段２５ａから制御手段２０１に送られる。制御手段２０１は、開閉検知手段２５ａから前記検知信号が送信されたことを契機として、記憶手段２３に記憶された画像情報及び文字情報から構成される患者情報を読み出して、前記所定の拡大率に拡大した画像情報を第１の表示手段２２ａに表示するように第１の表示制御手段２０３ａに指示すると共に、文字情報を第２の表示手段２２ｂに当倍表示するように第２の表示制御手段２０３ｂに指示する（Ｓ１６）。
【００５０】
また一方、Ｓ１４において、画像情報と同様に、文字情報も拡大しなくてよいと使用者から要求された場合（Ｓ１４−Ｎｏ）、制御手段２０１は、移動体通信端末２の背面の凹部２５に収納された第２の表示手段２２ｂの画面と第１の表示手段２２ａの画面とが略面一になるように第２の表示手段２２ｂを開くように使用者に促すメッセージを、第１の表示手段２２ａに表示するように第１の表示制御手段２０３ａに指示する。
【００５１】
そして、第２の表示手段２２ｂが移動体通信端末２の裏面に対して開かれたことを開閉検知手段２５ａが検知し、その検知信号が開閉検知手段２５ａから制御手段２０１に送られる。制御手段２０１は、開閉検知手段２５ａから前記検知信号が送信されたことを契機として、記憶手段２３に記憶された画像情報及び文字情報から構成される患者情報を読み出して、画像情報を第１の表示手段２２ａに当倍表示するように第１の表示制御手段２０３ａに指示すると共に、文字情報を第２の表示手段２２ｂに当倍表示するように第２の表示制御手段２０３ｂに指示する（Ｓ１７）。
【００５２】
また、Ｓ１１において、文字情報は拡大しなくてよいと使用者から要求された場合（Ｓ１１−Ｎｏ）、制御手段２０１は、移動体通信端末２の背面の凹部２５に収納された第２の表示手段２２ｂの画面と第１の表示手段２２ａの画面とが略面一になるように第２の表示手段２２ｂを開くように使用者に促すメッセージを、第１の表示手段２２ａに表示するように第１の表示制御手段２０３ａに指示する。
【００５３】
そして、第２の表示手段２２ｂが移動体通信端末２の裏面に対して開かれたことを開閉検知手段２５ａが検知し、その検知信号が開閉検知手段２５ａから制御手段２０１に送られる。制御手段２０１は、開閉検知手段２５ａから前記検知信号が送信されたことを契機として、記憶手段２３に記憶された画像情報及び文字情報から構成される患者情報を読み出して、前記所定の拡大率に拡大した画像情報を第１の表示手段２２ａに表示するように第１の表示制御手段２０３ａに指示すると共に、文字情報を第２の表示手段２２ｂに当倍表示するように第２の表示制御手段２０３ｂに指示する（Ｓ１８）。
【００５４】
なお、前記Ｓ９〜Ｓ１２及びＳ１４〜Ｓ１５の間において、使用者により、移動体通信端末２の背面の凹部２５に収納された第２の表示手段２２ｂが移動体通信端末２の裏面に対して開かれたことを開閉検知手段２５ａが検知した場合には、その検知信号が開閉検知手段２５ａから制御手段２０１に送られる。制御手段２０１は、開閉検知手段２５ａから前記検知信号が送信されたことを契機として、記憶手段２３に記憶された患者情報を読み出して、予め設定された倍率（例えば２倍）に拡大した画像情報を第１の表示手段２２ａに表示するように第１の表示制御手段２０３ａに指示すると共に、予め設定された倍率（例えば２倍）に拡大した文字情報を第２の表示手段２２ｂに表示するように第２の表示制御手段２０３ｂに指示する。
【００５５】
以上のようにして、画像情報及び文字情報が２つの表示手段２２ａ，２２ｂに表示された後、制御手段２０１は、読影依頼端末１への返信として読影結果情報の入力をする画面を第１の表示手段２２ａ又は第２の表示手段２２ｂに表示するように、第１の表示制御手段２０３ａ又は第２の表示制御手段２０３ｂに指示する。
【００５６】
この画面に対して使用者は、入力手段２４を用いて読影結果情報を入力する。制御手段２０１は、入力手段２４による入力完了の指示を契機に、入力された読影結果情報を読影依頼端末１に送信するように通信制御手段２０４に指示する。その後、再び、患者情報の送信を通信制御手段２０４が検知すると上記Ｓ１の過程に戻る。
【００５７】
（画像情報及び文字情報を表示する過程２）
前記「表示領域の選択過程」において、画像情報を第１の表示手段２２ａに表示しないという使用者の要求が入力手段２４によってなされた場合（Ｓ７−Ｎｏ）、図５に示すように、制御手段２０１は、当該画像情報を拡大するか否かを示すメッセージを第１の表示手段２２ａに表示するように第１の表示制御手段２０３ａに指示する（Ｓ１９）。
【００５８】
使用者が入力手段２４を操作して、画像情報の拡大を要求した場合（Ｓ１９−Ｙｅｓ）、制御手段２０１は、当該画像情報の拡大率を入力させる入力画面を第１の表示手段２２ａに表示するように第１の表示制御手段２０３ａに指示する（Ｓ２０）。
【００５９】
前記入力画面において画像情報の拡大率が入力された後、制御手段２０１は、画像情報と同様に、文字情報も拡大するか否かを示すメッセージを第１の表示手段２２ａに表示するように第１の表示制御手段２０３ａに指示する（Ｓ２１）。
【００６０】
使用者が入力手段２４を操作して、文字情報の拡大も要求した場合（Ｓ２１−Ｙｅｓ）、制御手段２０１は、当該文字情報の拡大率を入力させる入力画面を第１の表示手段２２ａに表示するように第１の表示制御手段２０３ａに指示する（Ｓ２２）。
【００６１】
このようにして、患者情報を構成する画像情報及び文字情報をそれぞれ所定の拡大率で第１の表示手段２２ａ及び第２の表示手段２２ｂに表示するように使用者に要求されたことにより、制御手段２０１は、移動体通信端末２の背面の凹部２５に収納された第２の表示手段２２ｂの画面と第１の表示手段２２ａの画面とが略面一になるように第２の表示手段２２ｂを開くように使用者に促すメッセージを、第１の表示手段２２ａに表示するように第１の表示制御手段２０３ａに指示する。
【００６２】
そして、第２の表示手段２２ｂが移動体通信端末２の裏面に対して開かれたことを開閉検知手段２５ａが検知し、その検知信号が開閉検知手段２５ａから制御手段２０１に送られる。制御手段２０１は、開閉検知手段２５ａから前記検知信号が送信されたことを契機として、記憶手段２３に記憶された画像情報及び文字情報から構成される患者情報を読み出して、前記所定の拡大率に拡大した文字情報を第１の表示手段２２ａに表示するように第１の表示制御手段２０３ａに指示すると共に、前記所定の拡大率に拡大した画像情報を第２の表示手段２２ｂに表示するように第２の表示制御手段２０３ｂに指示する（Ｓ２３）。
【００６３】
一方、Ｓ１９において、画像情報を拡大しなくてよいと使用者から要求された場合（Ｓ１９−Ｎｏ）、制御手段２０１は、文字情報を拡大するか否かを示すメッセージを第１の表示手段２２ａに表示するように第１の表示制御手段２０３ａに指示する（Ｓ２４）。
【００６４】
使用者が入力手段２４を操作して、文字情報の拡大を要求した場合（Ｓ２４−Ｙｅｓ）、制御手段２０１は、当該文字情報の拡大率を入力させる入力画面を第１の表示手段２２ａに表示するように第１の表示制御手段２０３ａに指示する（Ｓ２５）。
【００６５】
このようにして、患者情報を構成する画像情報及び文字情報をそれぞれ所定の拡大率（当倍も含む）で第１の表示手段２２ａ及び表示手段２２ｂに表示するように使用者に要求されたことにより、制御手段２０１は、移動体通信端末２の背面の凹部２５に収納された第２の表示手段２２ｂの画面と第１の表示手段２２ａの画面とが略面一になるように第２の表示手段２２ｂを開くように使用者に促すメッセージを、第１の表示手段２２ａに表示するように第１の表示制御手段２０３ａに指示する。
【００６６】
そして、第２の表示手段２２ｂが移動体通信端末２の裏面に対して開かれたことを開閉検知手段２５ａが検知し、その検知信号が開閉検知手段２５ａから制御手段２０１に送られる。制御手段２０１は、開閉検知手段２５ａから前記検知信号が送信されたことを契機として、記憶手段２３に記憶された画像情報及び文字情報から構成される患者情報を読み出して、前記所定の拡大率に拡大した文字情報を第１の表示手段２２ａに表示するように第１の表示制御手段２０３ａに指示すると共に、画像情報を第２の表示手段２２ｂに当倍表示するように第２の表示制御手段２０３ｂに指示する（Ｓ２６）。
【００６７】
また一方、Ｓ２４において、画像情報と同様に、文字情報も拡大しなくてよいと使用者から要求された場合（Ｓ２４−Ｎｏ）、制御手段２０１は、移動体通信端末２の背面の凹部２５に収納された第２の表示手段２２ｂの画面と第１の表示手段２２ａの画面とが略面一になるように第２の表示手段２２ｂを開くように使用者に促すメッセージを、第１の表示手段２２ａに表示するように第１の表示制御手段２０３ａに指示する。
【００６８】
そして、第２の表示手段２２ｂが移動体通信端末２の裏面に対して開かれたことを開閉検知手段２５ａが検知し、その検知信号が開閉検知手段２５ａから制御手段２０１に送られる。制御手段２０１は、開閉検知手段２５ａから前記検知信号が送信されたことを契機として、記憶手段２３に記憶された画像情報及び文字情報から構成される患者情報を読み出して、文字情報を第１の表示手段２２ａに当倍表示するように第１の表示制御手段２０３ａに指示すると共に、画像情報を第２の表示手段２２ｂに当倍表示するように第２の表示制御手段２０３ｂに指示する（Ｓ２７）。
【００６９】
また、Ｓ２１において、文字情報は拡大しなくてよいと使用者から要求された場合（Ｓ２１−Ｎｏ）、制御手段２０１は、移動体通信端末２の背面の凹部２５に収納された第２の表示手段２２ｂの画面と第１の表示手段２２ａの画面とが略面一になるように第２の表示手段２２ｂを開くように使用者に促すメッセージを、第１の表示手段２２ａに表示するように第１の表示制御手段２０３ａに指示する。
【００７０】
そして、第２の表示手段２２ｂが移動体通信端末２の裏面に対して開かれたことを開閉検知手段２５ａが検知し、その検知信号が開閉検知手段２５ａから制御手段２０１に送られる。制御手段２０１は、開閉検知手段２５ａから前記検知信号が送信されたことを契機として、記憶手段２３に記憶された画像情報及び文字情報から構成される患者情報を読み出して、前記所定の拡大率に拡大した文字情報を第１の表示手段２２ａに表示するように第１の表示制御手段２０３ａに指示すると共に、画像情報を第２の表示手段２２ｂに当倍表示するように第２の表示制御手段２０３ｂに指示する（Ｓ２８）。
【００７１】
なお、前記Ｓ１９〜Ｓ２２及びＳ２４〜Ｓ２５の間において、使用者により、移動体通信端末２の背面の凹部２５に収納された第２の表示手段２２ｂが移動体通信端末２の裏面に対して開かれたことを開閉検知手段２５ａが検知した場合には、その検知信号が開閉検知手段２５ａから制御手段２０１に送られる。制御手段２０１は、開閉検知手段２５ａから前記検知信号が送信されたことを契機として、記憶手段２３に記憶された患者情報を読み出して、予め設定された倍率（例えば２倍）に拡大した文字情報を第１の表示手段２２ａに表示するように第１の表示制御手段２０３ａに指示すると共に、予め設定された倍率（例えば２倍）に拡大した画像情報を第２の表示手段２２ｂに表示するように第２の表示制御手段２０３ｂに指示する。
【００７２】
以上のようにして、画像情報及び文字情報が２つの表示手段２２ａ，２２ｂに表示された後、制御手段２０１は、読影依頼端末１への返信として読影結果情報の入力をする画面を第１の表示手段２２ａ又は第２の表示手段２２ｂに表示するように、第１の表示制御手段２０３ａ又は第２の表示制御手段２０３ｂに指示する。
【００７３】
この画面に対して使用者は、入力手段２４を用いて読影結果情報を入力する。制御手段２０１は、入力手段２４による入力完了の指示を契機に、入力された読影結果情報を読影依頼端末１に送信するように通信制御手段２０４に指示する。その後、再び、患者情報の送信を通信制御手段２０４が検知すると上記Ｓ１の過程に戻る。
【００７４】
（画像情報のみを表示する過程）
前記「表示領域の選択過程」において、画像情報のみを第１の表示手段２２ａ及び第２の表示手段２２ｂに表示するという使用者の要求が入力手段２４によってなされた場合（Ｓ８−Ｙｅｓ）、図６（ａ）に示すように、制御手段２０１は、当該画像情報の拡大率を入力させる入力画面を第１の表示手段２２ａに表示するように第１の表示制御手段２０３ａに指示する（Ｓ２９）。
【００７５】
このようにして、使用者が入力手段２４を操作して、当該画像情報の拡大率を入力することにより、制御手段２０１は、移動体通信端末２の背面の凹部２５に収納された第２の表示手段２２ｂの画面と第１の表示手段２２ａの画面とが略面一になるように第２の表示手段２２ｂを開くように使用者に促すメッセージを、第１の表示手段２２ａに表示するように第１の表示制御手段２０３ａに指示する。
【００７６】
そして、第２の表示手段２２ｂが移動体通信端末２の裏面に対して開かれたことを開閉検知手段２５ａが検知し、その検知信号が開閉検知手段２５ａから制御手段２０１に送られる。制御手段２０１は、開閉検知手段２５ａから前記検知信号が送信されたことを契機として、記憶手段２３に記憶された患者情報の画像情報を読み出して、入力された拡大率に拡大した画像情報を第１の表示手段２２ａ及び第２の表示手段２２ｂに表示するように第１の表示制御手段２０３ａ及び第２の表示制御手段２０３ｂに指示する（Ｓ３０）。
【００７７】
なお、前記Ｓ２９において、使用者により、移動体通信端末２の背面の凹部２５に収納された第２の表示手段２２ｂが移動体通信端末２の裏面に対して開かれたことを開閉検知手段２５ａが検知した場合には、その検知信号が開閉検知手段２５ａから制御手段２０１に送られる。制御手段２０１は、開閉検知手段２５ａから前記検知信号が送信されたことを契機として、記憶手段２３に記憶された患者情報を読み出して、予め設定された倍率（例えば２倍）に拡大した画像情報を第１の表示手段２２ａ及び第２の表示手段２２ｂに跨って表示するように第１の表示制御手段２０３ａ及び第２の表示制御手段２０３ｂに指示する。
【００７８】
この場合、制御手段２０１は、画面を走査する横軸で画像情報を２つに分けたデータに分割して、第１の表示制御手段２０３ａ及び第２の表示制御手段２０３ｂに送り、それぞれに画面を走査させる。また、制御手段２０１は、第２の表示制御手段２０３ｂの動作を停止させ、第１の表示制御手段２０３ａに第１の表示手段２２ａ及び第２の表示手段２２ｂの双方を制御するようにさせてもよい。このようにして、第１の表示手段２２ａ及び第２の表示手段２２ｂを一体の画面として表示させる。
【００７９】
そして、画像情報が２つの表示手段２２ａ，２２ｂに表示された後、制御手段２０１は、読影依頼端末１への返信として読影結果情報の入力をする画面を第１の表示手段２２ａ又は第２の表示手段２２ｂに表示するように、第１の表示制御手段２０３ａ又は第２の表示制御手段２０３ｂに指示する。
【００８０】
この画面に対して使用者は、入力手段２４を用いて読影結果情報を入力する。制御手段２０１は、入力手段２４による入力完了の指示を契機に、入力された読影結果情報を読影依頼端末１に送信するように通信制御手段２０４に指示する。その後、再び、患者情報の送信を通信制御手段２０４が検知すると上記Ｓ１の過程に戻る。
【００８１】
（文字情報のみを表示する過程）
前記「表示領域の選択過程」において、文字情報のみを第１の表示手段２２ａ及び第２の表示手段２２ｂに表示するという使用者の要求が入力手段２４によってなされた場合（Ｓ８−Ｎｏ）、図６（ｂ）に示すように、制御手段２０１は、当該文字情報の拡大率を入力させる入力画面を第１の表示手段２２ａに表示するように第１の表示制御手段２０３ａに指示する（Ｓ３１）。
【００８２】
このようにして、使用者が入力手段２４を操作して、当該文字情報の拡大率を入力することにより、制御手段２０１は、移動体通信端末２の背面の凹部２５に収納された第２の表示手段２２ｂの画面と第１の表示手段２２ａの画面とが略面一になるように第２の表示手段２２ｂを開くように使用者に促すメッセージを、第１の表示手段２２ａに表示するように第１の表示制御手段２０３ａに指示する。
【００８３】
そして、第２の表示手段２２ｂが移動体通信端末２の裏面に対して開かれたことを開閉検知手段２５ａが検知し、その検知信号が開閉検知手段２５ａから制御手段２０１に送られる。制御手段２０１は、開閉検知手段２５ａから前記検知信号が送信されたことを契機として、記憶手段２３に記憶された患者情報の文字情報を読み出して、入力された拡大率に拡大した文字情報を第１の表示手段２２ａ及び第２の表示手段２２ｂに表示するように第１の表示制御手段２０３ａ及び第２の表示制御手段２０３ｂに指示する（Ｓ３２）。
【００８４】
なお、前記Ｓ３１において、使用者により、移動体通信端末２の背面の凹部２５に収納された第２の表示手段２２ｂが移動体通信端末２の裏面に対して開かれたことを開閉検知手段２５ａが検知した場合には、その検知信号が開閉検知手段２５ａから制御手段２０１に送られる。制御手段２０１は、開閉検知手段２５ａから前記検知信号が送信されたことを契機として、記憶手段２３に記憶された患者情報を読み出して、予め設定された倍率（例えば２倍）に拡大した文字情報を第１の表示手段２２ａ及び第２の表示手段２２ｂに跨って表示するように第１の表示制御手段２０３ａ及び第２の表示制御手段２０３ｂに指示する。
【００８５】
この場合、制御手段２０１は、画面を走査する横軸で文字情報を２つに分けたデータに分割して、第１の表示制御手段２０３ａ及び第２の表示制御手段２０３ｂに送り、それぞれに画面を走査させる。また、制御手段２０１は、第２の表示制御手段２０３ｂの動作を停止させ、第１の表示制御手段２０３ａに第１の表示手段２２ａ及び第２の表示手段２２ｂの双方を制御するようにさせてもよい。このようにして、第１の表示手段２２ａ及び第２の表示手段２２ｂを一体の画面として表示させる。
【００８６】
そして、文字情報が２つの表示手段２２ａ，２２ｂに表示された後、制御手段２０１は、読影依頼端末１への返信として読影結果情報の入力をする画面を第１の表示手段２２ａ又は第２の表示手段２２ｂに表示するように、第１の表示制御手段２０３ａ又は第２の表示制御手段２０３ｂに指示する。
【００８７】
この画面に対して使用者は、入力手段２４を用いて読影結果情報を入力する。制御手段２０１は、入力手段２４による入力完了の指示を契機に、入力された読影結果情報を読影依頼端末１に送信するように通信制御手段２０４に指示する。その後、再び、患者情報の送信を通信制御手段２０４が検知すると上記Ｓ１の過程に戻る。
【００８８】
以上説明したように、本発明によれば、画像情報を伴う患者情報を、病院内に設置された読影依頼端末から病院外の医師の移動体通信端末に送信するようにしたので、当該患者情報に対する前記医師の所見を迅速に前記読影依頼端末に通知する診断支援システムを提供することができる。また、前記移動体通信端末の表示画面を複数用意し、患者情報を構成する画像情報及び／又は文字情報を前記表示画面に自在に表示できるようにしたので、使用者が前記患者情報を明確に読影することができ、適切な判断を前記読影依頼端末に通知することができる。
【００８９】
上述の各実施形態は、本発明の一例であり、本発明は各実施の形態に限定されることはない。上述の各実施形態では、移動体通信端末２設けられる表示手段を、第１の表示手段２２ａ及び第２の表示手段２２ｂの２つとしたが、移動体通信端末２の携帯性を損なわない範囲であれば、表示手段が３つ以上設けられてもよい。また、この他であっても、本発明に係る技術的思想を逸脱しない範囲であれば、設計等に応じて種々の変更が可能である。
【図面の簡単な説明】
【００９０】
【図１】本発明に係る診断支援システムの一実施形態における移動体通信端末の構成を示す図。
【図２】本発明に係る診断支援システムの一実施形態における構成を示すブロック図。
【図３】本発明に係る診断支援システムの一実施形態における動作を示すフローチャート。
【図４】本発明に係る診断支援システムの一実施形態における動作を示すフローチャート。
【図５】本発明に係る診断支援システムの一実施形態における動作を示すフローチャート。
【図６】本発明に係る診断支援システムの一実施形態における動作を示すフローチャート。
【符号の説明】
【００９１】
１  読影依頼端末
２  移動体通信端末
１０  制御手段
１１  通信手段
１２  表示手段
１３  記憶手段
１４  入力手段
２０  ＣＰＵ
２１  通信手段
２２ａ  第１の表示手段
２２ｂ  第２の表示手段
２３  記憶手段
２４  入力手段
２０１  制御手段
２０２  識別手段
２０３ａ  第１の表示制御手段
２０３ｂ  第２の表示制御手段
２０４  通信制御手段
【図１】
2005261807.tif 000003
【図２】
2005261807.tif 000004
【図３】
2005261807.tif 000005
【図４】
2005261807.tif 000006
【図５】
2005261807.tif 000007
【図６】
2005261807.tif 000008